(57)【要約】【課題】発電機の効率の低下を抑制し、スクリーンに堆積した塵芥に対して、上流側に押し戻すために必要な力を加えることができる塵芥排除装置を提供すること。【解決手段】塵芥排除装置１は、取水口に設けられるスクリーン３と導水路との間の沈砂池に配置される水槽２と、水槽２に設けられ、水槽２の内部に貯留される貯留水Ｗを水槽２の外部に放出させる放出手段Ｅと、を備える。【選択図】図２
2015145562.tif 000002
【特許請求の範囲】
【請求項１】
取水口に設けられるスクリーンと導水路との間の沈砂池に配置される水槽と、
前記水槽の内部に貯留される貯留水を前記水槽の外部に放出させる放出手段と、
を備えることを特徴とする塵芥排除装置。
【請求項２】
前記水槽は、前記スクリーンに沿う方向に複数並べて配置される
ことを特徴とする請求項１に記載の塵芥排除装置。
【請求項３】
前記スクリーンと前記水槽との間に配置され、放出された前記貯留水によって発生する段波を前記沈砂池の上流方向に案内するガイド部材
をさらに備えることを特徴とする請求項２に記載の塵芥排除装置。
【請求項４】
前記スクリーンの上流側に設けられる上流水位計と、
前記スクリーンの下流側に設けられる下流水位計と、
をさらに備え、
前記放出手段は、前記上流水位計の測定値と前記下流水位計の測定値との差に応じて、前記貯留水を前記水槽の外部に放出する量を変化させる制御部を備える
ことを特徴とする請求項１から３のいずれか１項に記載の塵芥排除装置。
【発明の詳細な説明】
【技術分野】
【０００１】
本発明は、取水口に設けられたスクリーンに付着する塵芥を排除するための塵芥排除装置に関する。
【背景技術】
【０００２】
水力発電所に水を供給するために、貯水池等の水を水力発電所に導く導水路が設けられる。貯水池等の水には草木またはゴミ等の塵芥が含まれているので、水力発電所内の発電機の損傷等を避けるために、塵芥は水力発電所に達する前に排除されることが望ましい。このため、貯水池等と導水路との接続部である取水部に、塵芥を捕捉するスクリーンが設けられている。スクリーンに捕捉された塵芥が多量になると、塵芥で水の流れが遮られるので、単位時間当たりに取水できる量が減少する可能性がある。また、作業者を水力発電所のある場所に派遣して塵芥を排除することもできるが、水力発電所は山間部にあることが多いため、容易に作業者を派遣することができない。これに対して、特許文献１には、スクリーンの上流側の水位が下流側の水位より高い場合、発電機の出力を少なくとも一回下げることで水を逆流させて、スクリーンに堆積した塵芥を上流側に押し戻す技術が記載されている。
【先行技術文献】
【特許文献】
【０００３】
【特許文献１】特開２０１２−２１４９７８号公報
【発明の概要】
【発明が解決しようとする課題】
【０００４】
しかし、上述した従来技術を用いた場合、水力発電所の発電機からスクリーンまでの距離が長いために、発電機の出力を下げてから逆流した水がスクリーンに達するまでの時間が発電機の効率を低下させる可能性がある。
【０００５】
本発明は、上記に鑑みてなされたものであって、発電機の効率の低下を抑制し、スクリーンに堆積した塵芥に対して、上流側に押し戻すために必要な力を加えることができる塵芥排除装置を提供することを目的とする。
【課題を解決するための手段】
【０００６】
上述した課題を解決し、目的を達成するために、本発明に係る塵芥排除装置は、取水口に設けられるスクリーンと導水路との間の沈砂池に配置される水槽と、前記水槽の内部に貯留される貯留水を前記水槽の外部に放出させる放出手段と、を備えることを特徴とする。
【０００７】
このようにすることで、貯留水が放出されることにより発生した段波は、勢いを保ったままスクリーンに衝突し、スクリーンに付着した塵芥に上流側に向かう力を加える。このため、スクリーンに付着した塵芥が、スクリーンから剥れ、上流側に押し戻される。また、本発明に係る塵芥排除装置において、水槽が沈砂池に設けられるので、水槽からスクリーンまでの距離が小さい。このため、水槽の貯留水を放出してから段波がスクリーンに到達するまでの時間が短い。上述した特許文献１のように発電機を停止する必要もなく、塵芥排除装置が塵芥の堆積を抑制し、スクリーンの下流側の水位は、一定に保たれ易くなる。その結果、発電機の効率の低下は、抑制される。このように、本発明に係る塵芥排除装置は、発電機の効率の低下を抑制し、スクリーンに堆積した塵芥に対して、上流側に押し戻すために必要な力を加えることができる。
【０００８】
本発明の望ましい態様として、前記水槽は、前記スクリーンに沿う方向に複数並べて配置されることが好ましい。このようにすることで、塵芥排除装置は、塵芥を排除する段波をスクリーンに衝突させる頻度をスクリーンの部分毎に変えることができる。このため、塵芥排除装置は、スクリーン全体のうち特に塵芥が堆積しやすい部分に対して、塵芥を排除する段波の衝突の頻度を高くすることができる。そして、塵芥の上に塵芥がより堆積されていく状態を抑制し、スクリーンの下流側の水位を一定に保つことができる。その結果、発電機の効率の低下が抑制される。
【０００９】
本発明の望ましい態様として、前記スクリーンと前記水槽との間に配置され、放出された前記貯留水によって発生する段波を前記沈砂池の上流方向に案内するガイド部材をさらに備えることが好ましい。このようにすることで、水槽から放出された貯留水によって発生した段波は、ガイド部材によって拡散が抑制され、かつスクリーンの方向に案内される。このため、塵芥排除装置は、スクリーン全体のうち特に塵芥が堆積しやすい部分に対して、より集中的に段波を衝突させることができる。
【００１０】
本発明の望ましい態様として、前記スクリーンの上流側に設けられる上流水位計と、前記スクリーンの下流側に設けられる下流水位計と、をさらに備え、前記放出手段は、前記上流水位計の測定値と前記下流水位計の測定値との差に応じて、前記貯留水を前記水槽の外部に放出する量を変化させる制御部を備えることが好ましい。このようにすることで、塵芥排除装置は、水位差に応じて貯留水を水槽の外部に放出する量を自動的に変化させることができる。これにより、塵芥排除装置は、スクリーンに堆積した塵芥を排除するために必要十分な量の貯留水を放出することができる。このため、塵芥排除装置は、塵芥を排除する段波を発生させるために使用する貯留水の量を抑制することができる。
【発明の効果】
【００１１】
本発明によれば、スクリーンに堆積した塵芥に対して、発電機の効率の低下を抑制し、上流側に押し戻すために必要な力を加えることができる塵芥排除装置を提供することができる。
【図面の簡単な説明】
【００１２】
【図１】図１は、塵芥排除装置の構成を模式的に示す平面図である。
【図２】図２は、図１におけるＡ−Ａ’断面を示す図である。
【図３】図３は、本実施形態に係る放出手段が備える制御部の構成を示す模式図である。
【図４】図４は、変形例１に係る水槽の構成を示す模式図である。
【図５】図５は、変形例２に係る水槽の構成を示す模式図である。
【発明を実施するための形態】
【００１３】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１４】
（実施形態）
図１は、塵芥排除装置の構成を模式的に示す平面図である。図２は、図１におけるＡ−Ａ’断面を示す図である。図１に示すように、貯水池１０は、水が流れる方向（図１中の方向Ｄ１）の下流に設けられた堤防１１によって、水の流れを遮ることで水を貯留している。貯水池１０に貯留された水は、管路である導水路９によって水力発電所に搬送される。貯水池１０に貯留された水を導水路９に取り入れるため、貯水池１０の一部に取水口１２が設けられる。
【００１５】
例えば本実施形態において、取水口１２は、沈砂池１３を備える。沈砂池１３は、導水路９に比較して、水の流れる方向に対して垂直な平面で切った断面積が大きい開水路である。これにより、沈砂池１３における水の流速は、導水路９における水の流速よりも小さくなる。このため、水が導水路９に達するまでの間に、水中で浮遊している土砂が沈砂池１３で沈殿する。これにより、導水路９で搬送される水に含まれる土砂によって水車等が破損する可能性が低減される。また、沈砂池１３は、下流側端部に、水の流れる方向に対して垂直な平面で切った断面積が漸縮する漸縮部１４を備える。漸縮部１４の下流側端部は、導水路９に接続されている。これにより、沈砂池１３から導水路９に向かう水は、徐々に流速を増加させる。
【００１６】
貯水池１０に貯留された水中には、草木またはゴミ等の塵芥が含まれている。このような塵芥が導水路９に導かれることを抑制するために、スクリーン３が取水口１２に備えられる。スクリーン３は、沈砂池１３の上流側に設けられる。すなわち、沈砂池１３は、スクリーン３と導水路９の間に位置している。スクリーン３は、例えば、水平方向に並べて配置した棒状部材であるスクリーンバーを備える。スクリーン３は、隣接するスクリーンバーの隙間で水を通過させ、当該隙間を通過することができない草木またはゴミ等の塵芥７を捕捉することができる。このため、貯水池１０に貯留される水が取水口１２に取り入れられると、スクリーン３の上流側に塵芥７が付着する。
【００１７】
スクリーン３の上流側に塵芥７が溜まると、塵芥７によって水の流れが遮られる。これにより、単位時間当たりに取水口１２に取り入れられる水量が減少する可能性がある。このため、塵芥７が堆積することが原因で、水力発電所で必要とする水量を取水できなくなる可能性がある。そこで、スクリーン３に付着する塵芥７を排除するため、塵芥排除装置１が設けられる。
【００１８】
塵芥排除装置１は、例えば、スクリーン３に沿う方向に並べて配置される複数の水槽２を備える。図１に示すように、水槽２は、例えば本実施形態において４つ並べられる。複数の水槽２が並ぶ方向は、スクリーン３の伸びる方向に沿っていればよく、平行でなくてもよい。複数の水槽２が並べられると、複数の水槽２が並ぶ方向がスクリーン３の伸びる方向と平面視で向き合うようになる。
【００１９】
水槽２は、図２に示すように、鉛直方向上側が開口した略直方体形状であって、固定壁２１および可動壁２２を有する。例えば、固定壁２１は、水槽２の底面、下流側側面および下流側側面に隣接する２つの側面であり、可動壁２２は水槽２の上流側側面である。可動壁２２は、固定壁２１に対して摺動可能に支持されている。水槽２は、底面の鉛直方向下側に配置される支持部材２０によって支持されている。支持部材２０は、例えば沈砂池１３の岸に固定されている。なお、塵芥排除装置１が備える水槽２は、必ずしも４つである必要はなく、１つ乃至３つであってもよいし、５つ以上であってもよい。
【００２０】
水槽２は、内部に貯留水Ｗを貯留している。例えば、貯留水Ｗは、ポンプ等によって貯水池１０または沈砂池１３の水を汲み上げることで水槽２の内部に貯留される。なお、貯留水Ｗは、必ずしもポンプ等によって汲み上げられて貯留されなくてもよい。例えば、水槽２の貯留水Ｗの水位を貯水池１０の水位よりも低くし、かつ水槽２と貯水池１０とを接続する水路を設けると、重力によって貯水池１０から水槽２に向かって水が流れる。このようにした場合、ポンプ等の機械的動力を用いずに貯留水Ｗを貯留することができる。
【００２１】
水槽２は、貯留水Ｗを水槽２の外部に放出させる放出手段Ｅを備える。放出手段Ｅは、例えば４つの水槽２のそれぞれに設けられ、駆動部２３および制御部２４を備える。駆動部２３は、例えば電動モータ等を備える装置であって、水槽２の可動壁２２に連結されている。例えば、可動壁２２の上端部がワイヤ等の紐状部材によって駆動部２３に連結されている。駆動部２３は、制御部２４に接続されており、制御部２４から発せられる出力信号に応じて駆動する。
【００２２】
駆動部２３が駆動すると、可動壁２２が鉛直方向の上側へ移動する。可動壁２２が鉛直方向上側に移動すると、可動壁２２の下端部と固定壁２１との間に生ずる開口部から貯留水Ｗが上流側に向かって放出される。これにより、水槽２から放出された貯留水Ｗは、重力によって速度を増加させて沈砂池１３の水面に叩きつけられて段波を発生させる。段波は、静水面から突出して水平方向に伝播する水の塊である。例えば、放出手段Ｅは、貯留池１０の水面を超える高さの段波が発生するように貯留水Ｗを放出する。
【００２３】
貯留水Ｗが放出されることにより発生した段波は、勢いを保ったままスクリーン３に衝突し、スクリーン３に付着した塵芥７に上流側に向かう力を加える。このため、スクリーン３に付着した塵芥７が、スクリーン３から剥れ、上流側に押し戻される。また、塵芥排除装置１において、水槽２が沈砂池１３に設けられるので、水槽２からスクリーン３までの距離が小さい。このため、水槽２の貯留水Ｗを放出してから段波がスクリーン３に到達するまでの時間が短い。よって、塵芥排除装置１は、発電機の効率の低下を抑制し、スクリーン３に堆積した塵芥７に対して、上流側に押し戻すために必要な力を加えることができる。
【００２４】
また、塵芥排除装置１は、スクリーン３に多量の塵芥７が堆積する前に、定期的に塵芥７を排除できることが望ましい。このため、本実施形態において制御部２４は、一定時間毎に駆動部２３を駆動させる。また、制御部２４は、上流水位計６が測定する水位と下流水位計４が測定する水位との差である水位差Ｌに応じて、駆動部２３の駆動方法を変化させる。例えば制御部２４は、水位差Ｌが大きくなるにしたがって、駆動部２３の駆動速度および駆動量を大きくする。
【００２５】
図２に示すように、塵芥排除装置１は、スクリーン３の上流側に設けられる上流水位計６と、スクリーン３の下流側に設けられる下流水位計４と、を備える。上流水位計６および下流水位計４は、例えばフロート式水位計である。スクリーン３に塵芥７が溜まると、スクリーン３を通過して沈砂池１３内に流入する水量よりも沈砂池１３内から導水路９へ流出する水量の方が多くなる。これにより、下流水位計４が測定する水位（スクリーン３の下流側の水位）が、上流水位計６が測定する水位（スクリーン３の上流側の水位）よりも低くなる。上流水位計６および下流水位計４が測定した水位は、例えば一定時間毎に制御部２４に電気信号として送信される。
【００２６】
図３は、本実施形態に係る放出手段が備える制御部の構成を示す模式図である。制御部２４は、例えば、ＰＬＣ（Programmable  Logic  Controller）である。ＰＬＣは、入力される入力信号の変化に応じて、出力する出力信号を変化させる制御装置である。制御部２４は、入力回路２４ａと、中央演算処理装置であるＣＰＵ（Central  Processing  Unit）２４ｂと、記憶装置であるメモリ２４ｃと、出力回路２４ｄと、を備える。メモリ２４ｃは、駆動部２３を駆動させる頻度を規定する頻度設定値と、水位差Ｌと駆動部２３の駆動速度および駆動量とを対応付けた駆動方法データベースと、を記憶している。
【００２７】
入力回路２４ａは、上流水位計６からの出力Ｓ１および下流水位計４からの出力Ｓ２を受け取り、出力Ｓ１および出力Ｓ２をＣＰＵ２４ｂに送る。ＣＰＵ２４ｂは、メモリ２４ｃに記憶された頻度設定値で規定された一定時間毎に、出力Ｓ１および出力Ｓ２から水位差Ｌを演算する。ＣＰＵ２４ｂは、算出した水位差Ｌをメモリ２４ｃに記憶された駆動方法データベースに与え、駆動部２３の駆動速度および駆動量を演算する。出力回路２４ｄは、ＣＰＵ２４ｂが算出した駆動部２３の駆動速度および駆動量を、出力Ｓ３として駆動部２３に出力する。
【００２８】
これにより、塵芥排除装置１は、一定時間毎に貯留水Ｗを放出させることができ、スクリーン３に多量の塵芥７が堆積する前に、定期的に塵芥７を排除できる。また、塵芥排除装置１は、水位差Ｌに応じて貯留水Ｗを水槽２の外部に放出する量を変化させることができる。これにより、塵芥排除装置１は、スクリーン３に堆積した塵芥７を排除するために必要十分な量の貯留水Ｗを放出することができる。このため、塵芥排除装置１は、塵芥７を排除するために使用する貯留水Ｗの量を抑制することができる。
【００２９】
また、スクリーン３周辺の水の流れにはある程度の規則性があることが多く、スクリーン３全体のなかでも特に塵芥７が堆積しやすい部分が発生することがある。例えば、沈砂池１３とスクリーン３との境目は、塵芥７が堆積しやすい部分になる。塵芥７の堆積が一度生じると、塵芥７の堆積をきっかけにして、塵芥７の上に塵芥７がより堆積されていく事態が発生する可能性がある。塵芥排除装置１は、特定の位置に塵芥７が堆積することを抑制するために、塵芥７が堆積しやすい部分に対して、塵芥７を排除する段波が衝突する頻度を高くする。なお、塵芥７が堆積しやすい部分は、貯水池１０の貯水量、貯水池１０の形状、沈砂池１３の形状及び導水路９の形状などによりスクリーン３周辺の水の流れが変化するので、場所が変化する。
【００３０】
そこで、本実施形態において、駆動部２３は、４つの水槽２にそれぞれ設けられている。このため、制御部２４は、４つの水槽２にそれぞれを駆動する頻度設定値を別々に設定しておき、メモリ２４ｃに記憶しておく。これにより、塵芥排除装置１は、塵芥７を排除する段波が衝突する頻度を位置によって調節することができる。このため、塵芥排除装置１は、スクリーン３全体のうち特に塵芥７が堆積しやすい部分に対して、スクリーン３の他の部分よりも塵芥７を排除する頻度を高く設定しておき、スクリーン３全体のうち特に塵芥７が堆積しやすい部分に多くの段波を衝突させ、塵芥７の堆積を生じにくくすることができる。そして、塵芥７の上に塵芥７がより堆積されていく状態を抑制し、スクリーン３の下流側の水位を一定に保つことができる。その結果、発電機の効率の低下が抑制される。
【００３１】
また、塵芥排除装置１は、ガイド部材５を備える。図１に示すように、ガイド部材５は、スクリーン３と水槽２との間に配置され、放出された貯留水Ｗによって発生する段波を沈砂池１３の上流方向に案内する部材である。ガイド部材５は、例えば、スクリーン３に沿う方向に対して直交する方向に沿う板状部材であり、スクリーン３に沿う方向に３つ並べて配置されている。また、ガイド部材５は、図２に示すように、沈砂池１３の岸に固定された支持部材５０によって支持されている。これにより、ガイド部材５は、スクリーン３から水槽２までの領域を、スクリーン３に沿う方向で４つに区切るように配置されている。
【００３２】
塵芥排除装置１がガイド部材５を備えることで、水槽２から放出された貯留水Ｗによって発生した段波は、ガイド部材５によって拡散を抑制されながらスクリーン３方向に案内される。このため、塵芥排除装置１は、スクリーン３全体のうち特に塵芥７が堆積しやすい部分に対してより集中的に段波を衝突させることができる。なお、塵芥排除装置１は、必ずしもガイド部材５を備えていなくてもよい。
【００３３】
ところで、貯水池１０から導水路９に向かって水が流れている状態において、貯留水Ｗの放出によって貯水池１０側に押し戻された塵芥７は、再びスクリーン３に向かって流れスクリーン３に再び付着する可能性がある。
【００３４】
そこで、本実施形態に係る塵芥排除装置１は、保持装置８を備える。保持装置８は、スクリーン３の上流側に設けられ、保持部８１と、支持部８２と、を備える。保持部８１は、例えば板状の網であって、スクリーン３に近い側が水中に位置しかつスクリーン３から遠い側が水面から露出するように配置されている。支持部８２は、保持部８１を支持する柱であって、一端が貯留池１０の底に固定され、他端が保持部８１に固定されている。
【００３５】
これにより、貯水池１０側に押し戻された塵芥７は、保持装置８の水面から露出している部分に乗り上げることで捕捉される。このため、貯水池１０側に押し戻された塵芥７が再びスクリーン３に捕捉される可能性が低減される。なお、貯水池１０側に押し戻された塵芥７は、堤防１１を超えて下流に流されることで排除されてもよいし、導水路９とは異なる水路である余水路等に流されることで排除されてもよい。
【００３６】
以上述べたように、本実施形態に係る塵芥排除装置１は、取水口１２に設けられるスクリーン３と導水路９との間の沈砂池１３に配置される水槽２と、水槽２に設けられ、水槽２の内部に貯留される貯留水Ｗを水槽２の外部に放出させる放出手段Ｅと、を備える。これにより、貯留水Ｗが放出されることにより発生した段波は、勢いを保ったままスクリーン３に衝突し、スクリーン３に付着した塵芥７に上流側に向かう力を加える。このため、スクリーン３に付着した塵芥７が、スクリーン３から剥れ、上流側に押し戻される。また、塵芥排除装置１において、水槽２が沈砂池１３に設けられるので、水槽２からスクリーン３までの距離が小さい。このため、水槽２の貯留水Ｗを放出してから段波がスクリーン３に到達するまでの時間が短い。上述した特許文献１のように発電機を停止する必要もなく、塵芥排除装置１が塵芥７の堆積を抑制し、スクリーン３の下流側の水位は、一定に保たれ易くなる。その結果、発電機の効率の低下は、抑制される。このように、塵芥排除装置１は、発電機の効率の低下を抑制し、スクリーン３に堆積した塵芥７に対して、上流側に押し戻すために必要な力を加えることができる。
【００３７】
また、本実施形態に係る塵芥排除装置１において、水槽２は、スクリーン３に沿う方向に複数並べて配置される。これにより、塵芥排除装置１は、塵芥７を排除する段波をスクリーンに衝突させる頻度をスクリーン３の部分毎に変えることができる。このため、塵芥排除装置１は、スクリーン３全体のうち特に塵芥７が堆積しやすい部分に対して、塵芥７を排除する段波の衝突の頻度を高くすることができる。そして、塵芥７の上に塵芥７がより堆積されていく状態を抑制し、スクリーン３の下流側の水位を一定に保つことができる。その結果、発電機の効率の低下が抑制される。
【００３８】
また、本実施形態に係る塵芥排除装置１は、スクリーン３と水槽２との間に配置され、放出された貯留水Ｗによって発生する段波を沈砂池１３の上流方向に案内するガイド部材５を備える。これにより、水槽２から放出された貯留水Ｗによって発生した段波は、ガイド部材５によって拡散が抑制され、かつスクリーン３の方向に案内される。このため、塵芥排除装置１は、スクリーン３全体のうち特に塵芥７が堆積しやすい部分に対して、より集中的に段波を衝突させることができる。
【００３９】
また、本実施形態に係る塵芥排除装置１は、スクリーン３の上流側に設けられる上流水位計６と、スクリーン３の下流側に設けられる下流水位計４と、を備える。また、放出手段Ｅは、上流水位計６の測定値と下流水位計４の測定値との差に応じて、貯留水Ｗを水槽２の外部に放出する量を変化させる制御部２４を備える。これにより、塵芥排除装置１は、水位差Ｌに応じて貯留水Ｗを水槽２の外部に放出する量を増減させることができる。これにより、塵芥排除装置１は、スクリーン３に堆積した塵芥７を排除する段波を生じさせるために必要十分な量の貯留水Ｗを放出することができる。このため、塵芥排除装置１は、塵芥７を排除するために使用する貯留水Ｗの量を抑制することができる。
【００４０】
（変形例１）
図４は、変形例１に係る水槽の構成を示す模式図である。変形例１に係る塵芥排除装置１は、水槽２と異なる水槽２Ａを備える。なお、上述したものと同じ部材、構成要素には同一の符号を付して重複する説明は省略する。
【００４１】
水槽２Ａは、図４に示すように、鉛直方向上側が開口した略直方体形状であって、固定壁２１Ａおよび可動壁２２Ａを有する。例えば、固定壁２１Ａは、水平方向に対して直交する４つの側面であり、可動壁２２は水槽２の底面である。可動壁２２Ａは、固定壁２１Ａに対して摺動可能に支持されている。また、固定壁２１Ａは、鉛直方向の上端部で可動壁２２Ａに平行な方向に突出するフランジ部２１Ａｅを備える。水槽２Ａは、フランジ部２１Ａｅの鉛直方向下側に配置される支持部材２０Ａによって支持されている。支持部材２０Ａは、例えば沈砂池１３の岸に固定されている。
【００４２】
変形例１に係る塵芥排除装置１は、貯留水Ｗを水槽２Ａの外部に放出させる放出手段Ｅを備える。放出手段Ｅは、複数の水槽２Ａのそれぞれに設けられ、駆動部２３および制御部２４を備える。駆動部２３は、水槽２Ａの可動壁２２Ａに連結されている。例えば、可動壁２２Ａの下流側端部がワイヤ等の紐状部材によって駆動部２３に連結されている。
【００４３】
駆動部２３が駆動すると、可動壁２２Ａが下流側へ移動する。可動壁２２Ａが下流側に移動すると、可動壁２２Ａの上流側端部と固定壁２１との間に生ずる開口部から貯留水Ｗが鉛直方向下側に向かって放出される。上述した実施形態の場合、駆動部２３は、可動壁２２を鉛直方向の上側に移動させるので、少なくとも可動壁２２の重量を持ち上げられる性能が必要である。これに対して、変形例１における駆動部２３は、可動壁２２Ａの重量を負担する必要がないので、小型化することができる可能性がある。
【００４４】
（変形例２）
図５は、変形例２に係る水槽の構成を示す模式図である。変形例２に係る塵芥排除装置１は、水槽２と異なる水槽２Ｂを備える。なお、上述したものと同じ部材、構成要素には同一の符号を付して重複する説明は省略する。
【００４５】
水槽２Ｂは、図５に示すように、鉛直方向上側が開口した略直方体形状である。水槽２Ｂは、底面の鉛直方向下側のうち上流側端部に配置される支持部材２０Ｂａと、底面の鉛直方向下側のうち下流側端部に配置される支持部材２０Ｂｂと、によって支持されている。支持部材２０Ｂａ、２０Ｂｂは、例えば沈砂池１３の岸に固定されている。また、変形例２に係る塵芥排除装置１は、一端が支持部材２０Ｂｂに固定され他端が水槽２Ｂの底面に固定されるジャッキ２５を備える。例えば、ジャッキ２５は、備えられたネジを回転させることで、高さを変更することができるねじ式ジャッキである。
【００４６】
変形例２に係る塵芥排除装置１は、貯留水Ｗを水槽２Ｂの外部に放出させる放出手段Ｅを備える。放出手段Ｅは、複数の水槽２Ｂのそれぞれに設けられ、駆動部２３および制御部２４を備える。駆動部２３は、水槽２Ｂのジャッキ２５に連結されている。例えば、ジャッキ２５に備えられる高さ調整用のネジが駆動部２３に連結されている。
【００４７】
駆動部２３が駆動すると、ジャッキ２５が変形し、水槽２Ｂの下流側が持ち上がる。水槽２Ｂの下流側が持ち上がると、水槽２Ｂの開口部の上流側から貯留水Ｗが放出される。これにより、上述した実施形態および変形例１と比較して、変形例２に係る水槽２Ｂは、より高い位置から貯留水Ｗを放出することができる。このため、上述した実施形態および変形例１と比較して、水槽２Ｂから放出された貯留水Ｗは、単位体積あたりで有する位置エネルギーが大きい。よって、変形例２に係る塵芥排除装置１は、必要な高さの段波を発生させるために放出する貯留水Ｗの量を抑制することができる。
【符号の説明】
【００４８】
１  塵芥排除装置
１０  貯水池
１１  堤防
１２  取水口
１３  沈砂池
２、２Ａ、２Ｂ  水槽
２０、２０Ａ、２０Ｂａ、２０Ｂｂ  支持部材
２１、２１Ａ  固定壁
２１Ａｅ  フランジ部
２２、２２Ａ  可動壁
２３  駆動部
２４  制御部
２４ａ  入力回路
２４ｂ  ＣＰＵ
２４ｃ  メモリ
２４ｄ  出力回路
２５  ジャッキ
３  スクリーン
４  下流水位計
５  ガイド部材
５０  支持部材
６  上流水位計
７  塵芥
８  保持装置
８１  保持部
８２  支持部
９  導水路
Ｅ  放出手段
Ｗ  貯留水
【図１】
2015145562.tif 000003
【図２】
2015145562.tif 000004
【図３】
2015145562.tif 000005
【図４】
2015145562.tif 000006
【図５】
2015145562.tif 000007